(57)【特許請求の範囲】
【請求項１】
原稿画像を読み取る読取倍率としての理想的な倍率理論値を設定する第１の設定手段と、
この第１の設定手段により設定された倍率理論値をＭ（Ｍ：整数）倍して得られるＭ倍倍率理論値と、このＭ倍倍率理論値を実行可能な値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定する第２の設定手段と、
この第２の設定手段により設定されたＭ倍倍率実行値に従い、原稿画像を読み取り、この原稿画像に相当する画像データを出力する読取手段と、
この読取手段により出力される画像データに対して１／Ｍ間引き処理を施して出力する出力手段と、
を備えたことを特徴とする画像読取装置。
【請求項２】
原稿画像を読み取る読取倍率をＮ％刻みで設定可能な画像読取装置において、
原稿画像を読み取る読取倍率としての理想的な倍率理論値を設定する第１の設定手段と、
この第１の設定手段により設定された倍率理論値をＭ（Ｍ：整数）倍して得られるＭ倍倍率理論値と、このＭ倍倍率理論値を実行可能なＮ％刻みの値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定する第２の設定手段と、
この第２の設定手段により設定されたＭ倍倍率実行値に従い、原稿画像を読み取り、この原稿画像に相当する画像データを出力する読取手段と、
この読取手段により出力される画像データに対して１／Ｍ間引き処理を施して出力する出力手段と、
を備えたことを特徴とする画像読取装置。
【請求項３】
原稿画像を読み取る読取倍率を整数Ｎ％刻みで設定可能な画像読取装置において、
原稿画像を読み取る読取倍率としての理想的な倍率理論値を設定する第１の設定手段と、
この第１の設定手段により設定された倍率理論値をＭ（Ｍ：整数）倍して得られるＭ倍倍率理論値と、このＭ倍倍率理論値の小数点以下を四捨五入して整数Ｎ％刻みの値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定する第２の設定手段と、
この第２の設定手段により設定されたＭ倍倍率実行値に従い、原稿画像を読み取り、この原稿画像に相当する画像データを出力する読取手段と、
この読取手段により出力される画像データに対して１／Ｍ間引き処理を施して出力する出力手段と、
を備えたことを特徴とする画像読取装置。
【請求項４】
所定の読取解像度を基準とするものであり、原稿画像を読み取る読取倍率をＮ％刻みで設定可能な画像形成装置において、
前記所定の読取解像度と異なる読取解像度を得るための読取倍率の理想的な倍率理論値を設定する第１の設定手段と、
この第１の設定手段により設定された倍率理論値をＭ（Ｍ：整数）倍して得られるＭ倍倍率理論値と、このＭ倍倍率理論値を実行可能なＮ％刻みの値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定する第２の設定手段と、
この第２の設定手段により設定されたＭ倍倍率実行値に従い、原稿画像を読み取り、この原稿画像に相当する画像データを出力する読取手段と、
この読取手段により出力される画像データに対して１／Ｍ間引き処理を施して出力する出力手段と、
を備えたことを特徴とする画像形成装置。
【請求項５】
複写機能及びファクシミリ機能を備え、複写機能実行時の読取解像度を基準とするものであり、原稿画像を読み取る読取倍率をＮ％刻みで設定可能な画像形成装置において、
ファクシミリ機能実行時の理想的な読取解像度を得るための読取倍率の理想的な倍率理論値を設定する第１の設定手段と、
この第１の設定手段により設定された倍率理論値をＭ（Ｍ：整数）倍して得られるＭ倍倍率理論値と、このＭ倍倍率理論値を実行可能なＮ％刻みの値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定する第２の設定手段と、
この第２の設定手段により設定されたＭ倍倍率実行値に従い、原稿画像を読み取り、この原稿画像に相当する画像データを出力する読取手段と、
この読取手段により出力される画像データに対して１／Ｍ間引き処理を施して出力する出力手段と、
を備えたことを特徴とする画像形成装置。
【請求項６】
原稿画像を読み取る読取倍率としての理想的な倍率理論値を設定し、
この設定された倍率理論値をＭ（Ｍ：整数）倍して得られるＭ倍倍率理論値と、このＭ倍倍率理論値を実行可能な値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定し、
この設定されたＭ倍倍率実行値に従い、原稿画像を読み取り、
この読み取りにより得られた画像データに対して１／Ｍ間引き処理を施して出力する、
ことを特徴とする画像読取方法。
【請求項７】
原稿画像を読み取る読取倍率をＮ％刻みで設定可能な画像読取装置において、
原稿画像を読み取る読取倍率としての理想的な倍率理論値を設定し、
この設定された倍率理論値をＭ（Ｍ：整数）倍して得られるＭ倍倍率理論値と、このＭ倍倍率理論値を実行可能なＮ％刻みの値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定し、
この設定されたＭ倍倍率実行値に従い、原稿画像を読み取り、
この読み取りにより得られた画像データに対して１／Ｍ間引き処理を施して出力する、
ことを特徴とする画像読取方法。
【請求項８】
原稿画像を読み取る読取倍率を整数Ｎ％刻みで設定可能な画像読取装置において、
原稿画像を読み取る読取倍率としての理想的な倍率理論値を設定し、
この設定された倍率理論値をＭ（Ｍ：整数）倍して得られるＭ倍倍率理論値と、このＭ倍倍率理論値の小数点以下を四捨五入してＮ％刻みの値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定し、
この設定されたＭ倍倍率実行値に従い、原稿画像を読み取り、
この読み取りにより得られた画像データに対して１／Ｍ間引き処理を施して出力する、
ことを特徴とする画像読取方法。
【請求項９】
所定の読取解像度を基準とするものであり、原稿画像を読み取る読取倍率をＮ％刻みで設定可能な画像形成装置において、
前記所定の読取解像度と異なる読取解像度を得るための読取倍率の理想的な倍率理論値を設定し、
この設定された倍率理論値をＭ（Ｍ：整数）倍して得られるＭ倍倍率理論値と、このＭ倍倍率理論値を実行可能なＮ％刻みの値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定し、
この設定されたＭ倍倍率実行値に従い、原稿画像を読み取り、
この読み取りにより得られる画像データに対して１／Ｍ間引き処理を施して出力する、
ことを特徴とする画像読取方法。
【請求項１０】
複写機能及びファクシミリ機能を備え、複写機能実行時における読取解像度を基準とするものであり、原稿画像を読み取る読取倍率をＮ％刻みで設定可能な画像形成装置において、
ファクシミリ機能実行時における理想的な読取解像度を得るための読取倍率の理想的な倍率理論値を設定し、
この設定された倍率理論値をＭ（Ｍ：整数）倍して得られるＭ倍倍率理論値と、このＭ倍倍率理論値を実行可能なＮ％刻みの値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定し、
この設定されたＭ倍倍率実行値に従い原稿画像を読み取り、
この読み取りにより得られた画像データに対して１／Ｍ間引き処理を施して出力する、
ことを特徴とする画像読取方法。
【発明の詳細な説明】
【０００１】
【発明の属する技術分野】
この発明は、設定される所定の読取倍率に従い原稿画像を読み取る画像読取装置、画像形成装置、及び画像読取方法に関する。
【０００２】
【従来の技術】
近年、複写機能及びファクシミリ機能等の複数の機能を備えた画像形成装置（複合機）が登場し始めている。このような画像形成装置における読取装置の場合、複写機としての読取解像度とファクシミリとしての最高解像度の読取解像度は同じであり、等倍時の読取倍率は、両者どちらも１００％である。
【０００３】
このような画像形成装置では、ファクシミリ側の規格である等倍時の誤差１００±１％を満足するためには、複写機側の規格も誤差をファクシミリ側の規格に合わせることで実現している。
【０００４】
【発明が解決しようとする課題】
上記したような従来の画像形成装置では、等倍時の読取倍率が複写機とファクシミリの両機能で同じであるため、等倍時の誤差は、例えば主走査方向については、通常読取装置の読取素子の有する解像度をそのまま出力したときの倍率を１００％とし、そのときの機構系の誤差を満足するように設計されている。また、副走査方向については、通常は原稿の搬送速度調整によって解像度を１００％にしたときの機構系誤差を満足するように設計されている。
【０００５】
しかし、このような従来の画像形成装置において、複写機の読取解像度がファクシミリの最高解像度の読取解像度と異なる場合には、読取装置に設定する等倍時の設定倍率が異なってしまう。即ち、主走査方向の読取素子の解像度は予め決定されているため、解像度の高い方を基準に素子が選択されることになる。同様に、副走査方向の搬送速度は解像度の高い方を基準に調整される。この時、解像度の低い方の等倍は縮小処理を行う必要がある。
【０００６】
この縮小処理は、複写機の有する拡大／縮小機能を使用すれば良いが、通常複写機の有する拡大／縮小は、設定値がＮ％ステップ刻みである。このＮの値は整数値であることが多い。この場合、解像度の高い読取画像を低い解像度に変換する際に、解像度変換倍率計算値が整数値でなかった場合には倍率設定誤差が発生する。この倍率設定誤差を小さくする方法として、前記Ｎ％ステップ設定のステップ数を細かくする方法が考えられるが、縮小回路の大規模な変更が必要となる等の問題が生じる。
【０００７】
この発明の目的は、上記したような事情に鑑み成されたものであって、解像度変換のために必要とされる理想的な変換倍率理論値に対するこの変換倍率理論値を実行可能な値に補正した変換倍率設定値の誤差を低減できる画像読取装置、画像形成装置、及び画像読取方法を提供することにある。
【０００８】
【課題を解決するための手段】
この発明は、上記問題点に基づきなされたもので、
この発明によれば、
原稿画像を読み取る読取倍率としての理想的な倍率理論値を設定する第１の設定手段と、
この第１の設定手段により設定された倍率理論値をＭ（Ｍ：整数）倍して得られるＭ倍倍率理論値と、このＭ倍倍率理論値を実行可能な値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定する第２の設定手段と、
この第２の設定手段により設定されたＭ倍倍率実行値に従い、原稿画像を読み取り、この原稿画像に相当する画像データを出力する読取手段と、
この読取手段により出力される画像データに対して１／Ｍ間引き処理を施して出力する出力手段と、
を備えたことを特徴とする画像読取装置が提供される。
【０００９】
また、この発明によれば、
原稿画像を読み取る読取倍率をＮ％刻みで設定可能な画像読取装置において、
原稿画像を読み取る読取倍率としての理想的な倍率理論値を設定する第１の設定手段と、
この第１の設定手段により設定された倍率理論値をＭ（Ｍ：整数）倍して得られるＭ倍倍率理論値と、このＭ倍倍率理論値を実行可能なＮ％刻みの値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定する第２の設定手段と、
この第２の設定手段により設定されたＭ倍倍率実行値に従い、原稿画像を読み取り、この原稿画像に相当する画像データを出力する読取手段と、
この読取手段により出力される画像データに対して１／Ｍ間引き処理を施して出力する出力手段と、
を備えたことを特徴とする画像読取装置が提供される。
【００１０】
さらに、この発明によれば、
複写機能及びファクシミリ機能を備え、複写機能実行時の読取解像度を基準とするものであり、原稿画像を読み取る読取倍率をＮ％刻みで設定可能な画像形成装置において、
ファクシミリ機能実行時の理想的な読取解像度を得るための読取倍率の理想的な倍率理論値を設定する第１の設定手段と、
この第１の設定手段により設定された倍率理論値をＭ（Ｍ：整数）倍して得られるＭ倍倍率理論値と、このＭ倍倍率理論値を実行可能なＮ％刻みの値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定する第２の設定手段と、
この第２の設定手段により設定されたＭ倍倍率実行値に従い、原稿画像を読み取り、この原稿画像に相当する画像データを出力する読取手段と、
この読取手段により出力される画像データに対して１／Ｍ間引き処理を施して出力する出力手段と、
を備えたことを特徴とする画像形成装置が提供される。
【００１１】
またさらに、この発明によれば、
原稿画像を読み取る読取倍率としての理想的な倍率理論値を設定し
この設定された倍率理論値をＭ（Ｍ：整数）倍して得られるＭ倍倍率理論値と、このＭ倍倍率理論値を実行可能な値に補正したＭ倍倍率実行値とを比較して、このＭ倍倍率理論値に対するこのＭ倍倍率実行値の誤差が所定値以下となるようなＭの値により得られる前記Ｍ倍倍率実行値を読取倍率として設定し
この設定されたＭ倍倍率実行値に従い、原稿画像を読み取り、
この読み取りにより得られた画像データに対して１／Ｍ間引き処理を施して出力する、
ことを特徴とする画像読取方法が提供される。
【００１２】
【発明の実施の形態】
以下、この発明の実施の一形態に係る画像読取装置について図面を参照して説明する。
この発明の画像読取装置は、例えば原稿画像を複写する複写機能、通信回線を介して画像データを送受信するファクシミリ機能を備えた画像形成装置、即ち複合型デジタル複写装置（以下、複写装置と略称する）を構成するものである。
【００１３】
図１は、この複写装置の内部構造を概略的に示す断面図である。
図１に示したように、この発明の画像形成装置、例えば電子写真式ディジタル複写装置２は、画像読取部４、及び画像形成部６を有している。また、複写装置２は、この画像読取部４の上部に、画像読取部４の後述する原稿台に対して開閉可能に形成されて読取対象物としての原稿Ｄを原稿台に向けて１枚ずつ給送するとともに、原稿台に載置された原稿Ｄを原稿台に密着させる原稿押さえとして機能する原稿自動給送装置８を備えている。
【００１４】
画像読取部４は、その上部に、閉じた状態にある原稿自動給送装置８に対向されるとともに原稿Ｄがセットされる透明なガラスからなる原稿テーブル１１と、原稿テーブル１１の一端に配置されるとともに原稿テーブル１１に原稿Ｄをセットすべき位置を示す原稿スケール１２と、を有している。
【００１５】
原稿テーブル１１の下方には、原稿テーブル１１に載置された原稿Ｄを照明する露光ランプ１３、露光ランプ１３からの光ビームを原稿Ｄに集光させるための補助反射板１４、及び、原稿Ｄからの反射ビームを図中左方向に折曲げる第１ミラー１５などが配置されている。露光ランプ１３、補助反射板１４および第１ミラー１５は、第一キャリッジ１６に固定されており、第一キャリッジ１６の移動にともなって原稿テーブル１１と平行に移動可能に配置されている。なお、第一キャリッジ１６は、図示しない歯付きベルト等を介して図示しないパルスモータの駆動力が伝達されて、原稿テーブル１１に沿って平行に移動される。
【００１６】
原稿テーブル１１の図中左方、すなわち第１ミラー１５により反射された反射ビームが案内される方向には、第二キャリッジ２０が配設されている。
第二キャリッジ２０には、第１ミラー１５により案内される原稿Ｄからの反射ビームを下方に折曲げる第２ミラー２１、および図中右方に折り曲げる第３ミラー２２が互いに直角に配置されている。第二キャリッジ２０は、第一キャリッジ１６を駆動する図示しない歯付きベルトなどにより第一キャリッジ１６に従動されるとともに、第一キャリッジ１６に対して１／２の速度で原稿テーブル１１に沿って平行に移動される。
【００１７】
第一キャリッジ１６の下方であって、第二キャリッジ２０を介して折返されたビームの光軸を含む面内には、第二キャリッジ２０からの反射ビームを所定の倍率で結像させる結像レンズ２３、及び、結像レンズ２３により集束性が与えられた反射ビームを電気信号すなわち画像データに変換するＣＣＤイメージセンサ２４が配置されている。
【００１８】
画像形成部６は、複写装置２のほぼ中央に回転自在に位置された感光体ドラム３０を有している。感光体ドラム３０は、図示しないモータにより所定の回転速度で回転される。
【００１９】
感光体ドラム３０の周囲の所定の位置には、ドラム表面を所定の電荷に帯電させる帯電チャージャ３１と、感光体ドラム３０の表面に静電潜像を形成するレーザ露光装置３２、静電潜像をトナーを含む現像剤で現像してトナー像を形成する現像装置３３、後述する用紙カセットから供給された記録媒体としてのコピー用紙Ｐに感光体ドラム３０に形成されたトナー像を転写するとともにトナー像が転写された用紙Ｐを感光体ドラム３０から分離させるための転写・剥離チャージャ３４、感光体ドラム３０の表面からコピー用紙Ｐを剥離する剥離爪３５、感光体ドラム３０の表面に残留したトナーを清掃するクリーニング装置３６、及び、感光体ドラム３０の表面に残った電位を除電する除電装置３７が、順に、配置されている。
【００２０】
レーザ露光装置３２は、画像データに基づいて変調されたレーザビームを発生する半導体レーザ素子、レーザビームを偏向する光偏向装置３２ａ、偏向されたレーザビームを感光体ドラム３０上に結像させる結像光学系３２ｂ、３２ｃ、３２ｄなどを有している。そして、このレーザ露光装置３２は、半導体レーザ素子から発生されたレーザビームを感光体ドラム３０の軸線方向に沿って感光体ドラム３０の表面に照射することにより感光体ドラム３０の表面に静電潜像を形成する。
【００２１】
現像装置３３は、トナーと、トナーを所定の極性に摩擦帯電させるとともに磁気ブラシを形成するキャリアと、からなる現像剤を有している。また、現像装置３３は、感光体ドラム３０の表面上に現像剤を供給して静電潜像にトナーを付着させることにより所望の画像濃度で現像する現像ローラ３３ａを有している。
【００２２】
感光体ドラム３０の下方に位置される複写装置２の底部には、複写装置２の正面側より着脱自在に上下複数段に装着された多段給紙装置４０が配置されている。
【００２３】
多段給紙装置４０は、さまざまな大きさのコピー用紙Ｐを複数種類収納するための上段カセット４１、中段カセット４２および下段カセット４３を含んでいる。それぞれのカセット４１，４２および４３は、たとえば、長手方向に沿って搬送されるよう置かれたＡ４サイズのコピー用紙、Ｂ４サイズのコピー用紙およびＡ３サイズのコピー用紙を、それぞれ、５００枚程度収納可能に形成されている。
【００２４】
上段カセット４１、中段カセット４２および下段カセット４３の所定の位置には、それぞれのカセット４１，４２および４３から用紙Ｐを１枚づつ取り出すピックアップローラ４４ａ，４４ｂおよび４４ｃが配置されている。
【００２５】
それぞれのピックアップローラ４４ａ，４４ｂおよび４４ｃにより各カセット４１，４２および４３から取り出された用紙Ｐの先端部が通過される位置には、用紙Ｐを１枚づつ分離するための搬送ローラ４５ａ，４５ｂおよび４５ｃと、それぞれの搬送ローラと一体的に配置された分離ローラ４６ａ，４６ｂおよび４６ｃが配置されている。分離ローラ４６ａ，４６ｂおよび４６ｃは、それぞれ、相互に組み合わせられた搬送ローラに対して軸線が平行に、かつ、所定の圧力で接触するよう配置されるとともに、搬送ローラの回転方向と逆方向に回転されることで、各カセットから取り出された用紙Ｐの最も上の１枚のみを後述する搬送路へ送出する。
【００２６】
多段給紙装置４０の図中右方には、使用頻度の高いサイズの用紙、たとえば、Ａ４サイズの用紙Ｐを３０００枚程度収納可能に形成された大容量フィーダ４７が設けられている。大容量フィーダ４７の所定の位置には、大容量フィーダ４７に収容された用紙Ｐを１枚づつ取り出すピックアップローラ４８が配置されている。ピックアップローラ４８と感光体ドラム３０との間には、上下一対に組み合わせられた搬送ローラ４９ａおよび分離ローラ４９ｂを含む分離機構４９が配置されている。分離機構４９は、分離ローラ４９ｂを搬送ローラ４９ａが回転される方向に対して逆方向に回転させることで、ピックアップローラ４８により大容量フィーダ４７から取り出された用紙Ｐの最も上の１枚のみを後述する搬送路へ送出する。
【００２７】
大容量フィーダ４７の上部には、各カセット４１，４２，４３および大容量フィーダ４７とは独立に、コピー用紙Ｐを給送可能な手差しフィーダ５０が形成されている。
【００２８】
手差しフィーダ５０と感光体ドラム３０との間には、手差しフィーダ５０に挿入された用紙Ｐを取り込む手差し用ピックアップローラ５１、ピックアップローラ５１により取り込まれた用紙Ｐをガイドする手差しガイド５２、及び、手差しガイド５２を介して感光体ドラム３０に向かって案内される用紙Ｐを搬送する搬送ローラ５３が設けられている。
【００２９】
それぞれのカセット４１，４２および４３ならびに大容量フィーダ４７と感光体ドラム３０との間には、各カセット４１，４２および４３ならびに大容量フィーダ４７から感光体ドラム３０に向かって用紙Ｐを案内する搬送路５４が形成されている。この搬送路５４は、さらに、感光体ドラム３０と転写・剥離チャージャ３３との間に規定される転写領域を経て、複写装置２の外部まで延出されている。また、搬送路５４には、いずれかのカセットまたは大容量フィーダもしくは手差しガイドから給送された用紙Ｐを、感光体ドラム３０に向かって搬送するための複数の搬送ローラ５５が設けられている。
【００３０】
搬送路５４の感光体ドラム３０の近傍、かつ、上流側には、搬送路５４を案内されたコピー用紙Ｐの傾きを補正するとともに、感光体ドラム３０上のトナー像の先端とコピー用紙Ｐの先端とを整合させ、感光体ドラム３０の外周面の移動速度と同じ速度でコピー用紙Ｐを、転写領域へ給紙するアライニングローラ５６が配設されている。また、アライニングローラ５６の手前すなわち搬送ローラ５５側には、アライニングローラ５６へのコピー用紙Ｐの到達を検出するアライニングセンサ５６ａが設けられている。
【００３１】
転写領域を通過された用紙Ｐが進行する方向には、用紙Ｐを搬送する搬送ベルト５７が組み込まれている。搬送ベルト５７により用紙Ｐが搬送される方向であって、感光体ドラム３０に対して熱を与えにくい位置には、ローラ表面が互いに圧接されたヒートローラ対を含み、トナー像が転写された用紙Ｐを加熱することでトナー像を溶融させつつトナー像と用紙Ｐとを加圧して用紙Ｐにトナー像を定着させる定着装置５８が設けられている。
【００３２】
定着装置５８に対向した複写装置２の側壁には、定着装置５８によりトナー像が定着された用紙Ｐが排出されるフィニッシャ５９が配置されている。
フィニッシャ５９は、排紙ローラ６２から排出されるコピー用紙Ｐをフェイスダウンするローラ対５９ａ、ローラ対５９ａにより用紙Ｐが排紙される排紙トレイ５９ｂ、及びステープルソートモードの際に１部毎にステープルするステープラ７４ｃを有している。
【００３３】
定着装置５８とフィニッシャ５９との間には、定着装置５８によりトナー像が定着されたコピー用紙Ｐを、後述する用紙反転部あるいはフィニッシャ５９のいづれかに案内する排出切換ユニット６０が配置されている。
【００３４】
排出切換ユニット６０は、定着装置５８を通過された用紙Ｐを推進する第１および第２の排出ローラ６１および６２、及び、第１および第２の排出ローラ６１および６２の間に配置され、定着装置５８を通過されたコピー用紙Ｐをフィニッシャ５９あるいは後述する用紙反転部のいづれかに選択的に振り分ける振り分けゲート６３を有している。
【００３５】
反転機構６４は、既に転写領域および定着装置５８を通過されたコピー用紙Ｐを一時的に集積する一時集積部６５、定着装置５８を通過したコピー用紙Ｐの表裏を反転して一時集積部６５に導く反転路６６、一時集積部に集積されたコピー用紙Ｐを一枚づつ取り出すピックアップローラ６７、一時集積部６５に収容された用紙Ｐを再びアライニングローラ５６に案内する搬送路６８、及び、搬送路６８に案内された用紙Ｐをアライニングローラ５６に向かって給紙する給紙ローラ６９を有している。
【００３６】
原稿自動給送装置８は、自身の後端縁部が複写装置２の上面後端縁部に図示しないヒンジ装置を介して取付けられたカバー７１を有し、必要に応じて原稿自動給送装置８全体を回動変位させることで、既に説明したように、画像読取部４の原稿テーブル１１に対して開閉可能に形成されている。
【００３７】
カバー７１の上面のやや左方向部位には、複数枚の原稿Ｄを保持する原稿給紙台７２が設けられている。原稿給紙台７２の図中左方すなわち原稿自動給送装置８の一端側には、原稿給紙台７２にセットされた原稿Ｄを順次一枚ずつ取出すとともに、図中左端側から画像読取部４の原稿テーブル１１の一端側に供給するためのピックアップローラ７３が配置されている。
【００３８】
原稿給紙台７２の所定の位置には、原稿給紙台７２への原稿Ｄがセットされたか否かを検知する原稿検知センサとしてのエンプテイセンサ７３が配設されている。なお、原稿給紙台７２には、原稿テーブル１１に原稿Ｄがセットされた位置を検知する原稿位置検知センサ１７と同様に機能する図示しない原稿幅検知センサが配置されてもよい。
【００３９】
ピックアップローラ７３の原稿取出し方向には、ピックアップローラ７３により取り出された原稿Ｄを原稿テーブル１１に向けて送出する給紙ローラ７４、及び、給紙ローラ７４により給送された原稿Ｄの先端を整位するアライニングローラ７５が配置されている。
【００４０】
アライニングローラ７５と給紙ローラ７４との間には、原稿Ｄのアライニングローラ７５への到達を検出するアライニングセンサ７５ａが配置されている。
カバー７１の内側であって、原稿自動給送装置８が閉じられた状態で画像読取部４の原稿テーブル１１と対向される位置には、原稿テーブル１１のほぼ全体を覆う大きさが与えられ、ピックアップローラ７３、給紙ローラ７４およびアライニングローラ７５を介して原稿給紙台７２から搬送された原稿Ｄを原稿テーブル１１の所定の位置に搬送する搬送ベルト７６が配置されている。搬送ベルト７６は、図中左右一対に配置されたベルトローラ７７に掛渡され、図示しないベルト駆動機構によって、図中右側および図中左側の両方向に向けて回転される。
【００４１】
原稿自動給送装置８の右側部位には、搬送ベルト７６により図中左側から図中右側に移動される原稿Ｄをカバー７１の外側に向けて送出する反転ローラ７８、反転ローラ７８に原稿Ｄを押し付けるピンチローラ７９、反転ローラ７８とピンチローラ７９により搬送される原稿Ｄを、再び搬送ベルト７６へ戻すか所定の排出位置すなわちカバー７１上に排出させるかを切り換えるフラッパ８０、フラッパ８０が排出側に切り換えられている場合に、反転ローラ７８により搬送された原稿Ｄを排出させる排紙ローラ８１、及び、反転ローラ７８の近傍での原稿のジャムを検知するジャムセンサ８２などが配置されている。
【００４２】
また、装置本体２の前面上部には、図２に示すように、様々な複写条件並びに複写動作を開始させる複写開始信号などを入力するコントロールパネル２００が設けられている。
【００４３】
図２に示すように、コントロールパネル２００には、複写機能を実行するための複写モードを設定する複写ボタン２０２、ファクシミリ機能を実行するためのＦＡＸモードを設定するＦＡＸボタン２０４、及びプリンタ機能を実行するためのプリンタモードを設定するプリンタボタン２０６が設けられている。
【００４４】
また、コントロールパネル２００には、複写モードにおいて複写枚数などの数値を入力するためのテンキー２０８、複写の開始を指示する複写ボタン２１０、複写枚数を訂正するときや複写動作を停止させるときなどに使用されるクリア／ストップボタン２１２、選択したモードや各種設定した条件等をすべてクリアするオールクリアボタン２１４、及び、複写倍率（読取倍率）を設定するための倍率設定ボタン２１６が設けられている。
【００４５】
さらに、コントロールパネル２００には、画像を形成したい用紙のサイズを選択設定するための用紙サイズボタン２１８、原稿台に載置された原稿のサイズを検知して自動的に用紙サイズを設定する自動用紙選択ボタン２２０、原稿サイズを設定するための原稿サイズボタン２２２、及び、用紙サイズボタン２１８によって設定された用紙サイズと検知した原稿サイズとに基づいて自動的に複写倍率を設定する自動倍率選択ボタン２２４が設けられている。
【００４６】
これらの各種設定ボタンの他に、さらに、設定されたモードの内容や操作手順などの案内情報を表示させる操作ガイドボタン２２６、予熱状態を設定する予熱ボタン２２８、プリンタ部の動作中に割り込みを指示する割り込みボタン２３０などが設けられている。
【００４７】
そして、このコントロールパネル２００の略中央には、装置の状態、操作手順、及び、ユーザに対して各種のメッセージを文字や図形で表示するタッチパネル式の液晶表示装置（ＬＣＤ）によって構成された表示パネル２４０が設けられている。この表示パネル２４０は、各機能毎にその操作が画面を表示するものである。
【００４８】
次に、図３を参照して複写装置の制御系について説明する。この図３は、複写装置の概略構成を機能的に示す図である。
複写装置は、この複写装置全体を統括制御する主制御部３０１、上記説明したコントロールパネル２００、上記説明した画像読取部４、上記説明した画像形成部６、通信制御部３０４、モデム５、ＮＣＵ６、画像処理部３７１等を備えている。
【００４９】
主制御部３０１は、マイクロコンピュータ等により構成されている。画像読取部４は、送信原稿を読み取るための上記した露光ランプ１３、光電変換素子としての上記したＣＣＤセンサ２４、このＣＣＤセンサ２４からのビデオ信号レベルを調整するための図示しないゲイン調整回路等により構成されている。画像形成部６は、複写機能実行時において獲得された画像データ、及びファクシミリ機能実行時において獲得された画像データを出力する。通信制御部３０４は、発呼時のダイヤル送出制御及び着信検出制御並びに送受信データの通信手順等を制御し、通信データの送受信を行う。モデム３０５は、送受信データの変調及び復調を行う。ＮＣＵ３０６は、回線の捕捉及び開放を行うための網終端回路である。
【００５０】
続いて画像処理部３７１を詳細に説明し、合わせて複写装置のその他の機能について説明する。画像処理部３７１は、画像読取部９からのＡ／Ｄ変換された多値デジタル信号を複写機読取データ又はファクシミリ送信のための２値ディジタル信号に変換するための処理部である。この画像処理部３７１は、前処理部３７２、第１ラインメモリ３７３、２値化部３７４、中間調処理部３７５、第３ラインメモリ３７６、メモリ管理部３７７、画像編集メモリ３７８、拡大縮小部３７９、第２ラインメモリ３８０、主走査副走査間引き部３８１、入出力ＩＦ３８２を備えている。
【００５１】
前処理部３７２は、シェーディング補正や原稿下地除去、解像度補償（細線強調）等のフィルタ処理、階調補正（γ補正）等を行う。第１ラインメモリ３７３は、シェーディング補正処理時の基準データやフィルタ処理時の前ラインデータを格納するための読み書き可能メモリである。主走査拡大縮小部３７９は、前処理部からの多値データに対する主走査方向倍率を決定する。この実施形態では、この倍率は１％ステッブで可変であり、可変範囲は読取素子の解像度に対して５０〜４００％である。２値化部３７４は、主走査拡大縮小部３７９で処理された多値データを任意の閾値で白黒の２値データに変換する。中間調処理部３７５は、主走査拡大縮小部３７９で処理された多値データを疑似中間調パターン処理し、２値化する。第３ラインメモリ３７６は、中間調パターン処理時、前ラインを並列処理するために使用する読み書き可能メモリである。主走査副走査間引き部３８１は、２値化部３７４又は中間調処理部３７５からの出力２値データに対して間引き処理を施すもので、間引き処理設定は１／Ｍ（Ｍ：整数）にて行う。例えば、Ｍ＝１の時は、間引き処理が行われず、Ｍ＝２の時は１／２間引き処理、即ち５０％縮小を行うことができる。第２ラインメモリ３８０は、主走査副走査出力間引き部３８１で行う縮小処理時に使用する前ラインデータを保管するために使用する。画像編集メモリ３７８は、２値化部３７４又は中間調処理部３７５で２値化されたデータを格納しておくための読み書き可能な頁メモリである。メモリ管理部３７７は、前記画像編集メモリ３７８への入出力開始・終了アドレスを管理する。入出力ＩＦ３８２は、画像処理部３７１で処理された２値データを装置の他のデバイスと送受するためのＩＦ部であり、この実施形態では、画処理内部で画素単位で処理された２値データを８／１６ビット単位のパラレルデータに変換するためのシリアル／パラレル変換処理も行う。
【００５２】
また、副走査モータパルス出力部３１２は、固定式原稿読取時の画像読取部４の図示しない搬送ステッピングモータへ駆動パルスを出力する。副走査拡大縮小部３１３は、前記副走査モータパルス出力部３１２へ出力するパルス数を調整し、モータの速度を可変にすることにより副走査読取倍率を決定する。この実施形態では、その可変範囲は主走査と同じ５０〜４００％である。符合化／復号化部３１０は画像処理部３７１から出力される２値データの符合化や受信符号データの復号化を行う。画像メモリ３１１は、符合化／複合化部３１０で符合化処理された読取データ又はファクシミリ受信データを蓄えておくためのものである。
【００５３】
上記説明したような構成の複写装置における解像度変換処理について説明する。
ここで、前提事項としてこの実施形態では、複写時の読取解像度を主走査６００ｄｐｉ、副走査６００ｄｐｉとする。また、画像読取部９で画像読取素子として使用されるＣＣＤイメージセンサ２４の読み取りは縮小光学系を使用する。さらに、副走査の搬送は、ＣＣＤイメージセンサ２４を駆動して原稿を読み取る固定走査方式であり、その駆動は図示しないステッピングモータによる駆動により行われる。なお、読取系の等倍時の主走査及び副走査の機構系の誤差は、±０．５０％以内に調整されているものとする。
【００５４】
さらにここで、この実施形態における複写装置の満足すぺき読取倍率誤差仕様を簡単に説明すると、複写装置としての読取倍率誤差規格は±１％以内とされている。等倍時には、前述の如く読取系の主走査及び副走査の機構系の誤差は、±０．５％以内に調整されているため、仕様±１％以内は満足している。ファクシミリについては、読取倍率誤差規格値（ＩＴＵ−ＴのＴ４勧告）は、±１％以内と規定されており、この規格を満足しなければならない。ここで、ファクシミリ側の読取仕様は、読取解像度が規格で予め決定されているため、ファクシミリとして必須で必要となる読取解像度、主走査８ｄｏｔ／ｍｍ又は１６ｄｏｔ／ｍｍ、副走査１５．４ｌ／ｍｍ、７．７ｌ／ｍｍ、３．８５ｌ／ｍｍを実現するために、主走査と副走査で必要な変換倍率理論値（少数点以下４桁四捨五入）は夫々下記の通りになる。
【００５５】
［主走査］
・６００ｄｐｉ→１６ｄｏｔ／ｍｍ変換＝６７．７３３％：理論値１
・６００ｄｐｉ→  ８ｄｏｔ／ｍｍ変換＝３３．８８７％：理論値２
［副走査］
・６００ｄｐｉ→１５．４ｌ／ｍｍ変換＝６５．１９３％：理論値３
・６００ｄｐｉ→  ７．７ｌ／ｍｍ変換＝３２．５９７％：理論値４
・６００ｄｐｉ→３．８５ｌ／ｍｍ変換＝１６．２９８％：理論値５
上記変換倍率理論値１〜５に対する読取系の誤差（設定誤差及び機構系誤差全て）が±１％以内に収まっていなければならない。前述の如く、読取系の機構系の度差が±０．５％以内であるとすると、読取変換倍率許容誤差は±０．５％以内に納める必要があるが、画像処理部３７１の主走査拡大縮小部３７９及び副走査拡大縮小部３１３の倍率設定ステップ数が１％刻み以下が不可能である場合、変換倍率設定値は上記変換倍率理論値を四捨五入して求めた整数値となるため、上記変換倍率理論値に対する変換倍率設定値の誤差（以下、設定誤差と称する）が０．５％を超えてしまうことがある。
【００５６】
実際に、設定誤差を計算すると下記の通りになる。
［主走査］
理論値１：６８／６７．７３３＝１００．３９％（設定誤差  ０．３９％）
理論値２：３４／３３．８８７＝１００．３３％（設定誤差  ０．３３％）
［副走査］
理論値３：６５／６５．１９３＝  ９９．７０％（設定誤差−０．３０％）
理論値４：３３／３２．５９７＝１０１．２４％（設定誤差  １．２４％）
理論値５：１６／１６．２９８＝  ９８．１７％（設定誤差−１．８３％）
上述のケースでは、変換倍率理論値４及び５の場合に設定誤差が０．５％以内に収まっていない。そこで、以下のような方法により設定誤差を小さくする。
【００５７】
まず、単純に設定誤差を小さくする方法として、読取時の倍率をＭ（Ｍ：整数）倍するため、主走査方向は画像処理部３７１の主走査拡大縮小部３７９への設定倍率をＭ倍する。副走査方向も同様にして、副走査拡大縮小部３１３への設定倍率をＭ倍する。その後の設定誤差が、０．５％以内に収まっていなければ更にＭの値を１加算して、再度計算する。
【００５８】
この方法では、下記の計算に示すように、設定倍率が１００％を超えるまでＭの値の選択／設定を行えば、必ず０．５％以内の誤差範囲に収まることになる。
｛１−Ｘ／（Ｘ＋０．５）｝×１００＜０．５％  Ｘ：設定倍率
この式を解くと、Ｘ＞９９．５％
つまり、上記を満たす整数値のＸ＝１００となる。
【００５９】
ここで、上記方法により実際に変換倍率理論値４を０．５％以内に納める。因みに、変換倍率理論値をＭ倍したものをＭ倍変換倍率理論値とし、このＭ倍変換倍率理論値を１％刻みに補正したもの（Ｍ倍変換倍率理論値を四捨五入したもの）をＭ倍変換倍率設定値とする。
【００６０】
変換倍率理論値４＝３２．５９７％
Ｍ＝２とすると、Ｍ倍変換倍率理論値＝６５．１９４％、Ｍ倍変換倍率設定値＝６５％となる。
【００６１】
従って、
0003662697.tif 000002
となる。
【００６２】
上記方法により倍率をＭ倍にして画像を読み取った場合には、出力時に主走査副走査間引き部８１により１／Ｍに間引きして出力する。
さらに、図４及び図５のフローチャートを参照して、ファクシミリ送信処理について説明する。図４は、ファクシミリ送信処理の全体を説明するフローチャートである。図５は、読取解像度Ｙ実現のためのＭ倍変換倍率設定値算出処理を説明するフローチャートである。
【００６３】
ユーザにより原稿がセットされ、コントロールパネル２００によりファクシミリ送信が指示されると、主制御部３０１の制御のもとファクシミリ送信処理が開始される（ＳＴ１）。ファクシミリ送信処理が開始されるとまず、送信先（受信機）から送信される能力宣言が受信される（ＳＴ２）。この能力宣言から送信先の解像度がチェックされ（ＳＴ３）、送信先の解像度に合わせた原稿の読取解像度Ｙが用意される。
【００６４】
つまり、送信先の解像度が１６×１５．４ｌ／ｍｍの場合には（ＳＴ４、ＹＥＳ）、複写装置で必要とされる読取解像度Ｙも同様に１６×１５．４ｌ／ｍｍとなる（ＳＴ５）。送信先の解像度が８×１５．４ｌ／ｍｍの場合には（ＳＴ６、ＹＥＳ）、複写装置で必要とされる読取解像度Ｙも同様に８×１５．４ｌ／ｍｍとなる（ＳＴ７）。送信先の解像度が８×７．７ｌ／ｍｍの場合には（ＳＴ８、ＹＥＳ）、複写装置で必要とされる読取解像度Ｙも同様に８×７．７１ｌ／ｍｍとなる（ＳＴ９）。送信先の解像度が８×３．８５ｌ／ｍｍの場合には（ＳＴ１０、ＹＥＳ）、複写装置で必要とされる読取解像度Ｙも同様に８×３．８５ｌ／ｍｍとなる（ＳＴ１１）。
【００６５】
次に、上記した複写装置で必要とされる読取解像度Ｙを実現するためのＭ倍変換倍率設定値算出処理が実行され（ＳＴ１２）、この処理で算出されたＭ倍変換倍率設定値に従い、画像読取部９により画像読取処理が実行される（ＳＴ１３）。さらに、このＭ倍変換倍率設定値に従って読み取られた画像データに対して、主走査副走査間引き部８１により１／Ｍ間引き処理が施され出力される（ＳＴ１４）。なお、Ｍ倍変換倍率設定値算出処理は、主制御部３０１により実行される。
【００６６】
続いて、主制御部３０１で実行される読取解像度Ｙ実現のためのＭ倍変換倍率設定値算出処理について図５のフローチャートを参照して説明する。まず、読取解像度Ｙ実現のための変換倍率理論値Ｘ１が設定される（ＳＴ１２−１）。この変換倍率理論値Ｘ１は、例えば上記説明した変換倍率理論値１〜５のいずれかに該当するものとする。仮に、変換倍率理論値Ｘ１として１６．２９８％が設定されたとして以下の説明を続ける。
【００６７】
まず、変換倍率理論値Ｘ１に対する倍率Ｍの値がＭ＝１として設定される（ＳＴ１２−２）。この場合、Ｍ倍変換倍率理論値Ｘ２＝Ｘ１×Ｍ＝Ｘ１×１となる（ＳＴ１２−３）。つまり、Ｍ倍変換倍率理論値Ｘ２は１６．２９８％となる。従って、Ｍ倍変換倍率設定値は１６％となる（ＳＴ１２−４）。このとき、設定誤差＝｛（Ｘ３／Ｘ２）×１００｝−１００＝（｛１６／１６．２９８）×１００｝−１００＝−１．８３％となる。よって、設定誤差＜±０．５の条件を満たさないため（ＳＴ１２−６、ＮＯ）、倍率Ｍの値が１加算される（ＳＴ１２−７）。
【００６８】
この場合、Ｍ倍変換倍率理論値Ｘ２＝Ｘ１×Ｍ＝Ｘ１×２となる（ＳＴ１２−３）。つまり、Ｍ倍変換倍率理論値Ｘ２は３２．５９７％となる。従って、Ｍ倍変換倍率設定値は３３％となる（ＳＴ１２−４）。このとき、設定誤差＝｛（Ｘ３／Ｘ２）×１００｝−１００＝（｛３３／３２．５９７）×１００｝−１００＝１．２４％となる。よって、設定誤差＜±０．５の条件を満たさないため（ＳＴ１２−６、ＮＯ）、倍率Ｍの値がさらに１加算される（ＳＴ１２−７）。
【００６９】
この場合、Ｍ倍変換倍率理論値Ｘ２＝Ｘ１×Ｍ＝Ｘ１×３となる（ＳＴ１２−３）。つまり、Ｍ倍変換倍率理論値Ｘ２は６５．１９３％となる。従って、Ｍ倍変換倍率設定値は６５％となる（ＳＴ１２−４）。このとき、設定誤差＝｛（Ｘ３／Ｘ２）×１００｝−１００＝（｛６５／６５．１９３）×１００｝−１００＝−０．３０％となる。よって、設定誤差＜±０．５の条件を満足するため（ＳＴ１２−６、ＹＥＳ）、Ｍ倍変換倍率設定値Ｘ３の設定が完了する（ＳＴ１２−８）。このときのＭ倍変換倍率設定値は６５％（Ｍ＝３）となる。これで、算出処理は終了となる。
【００７０】
その後、算出されたＭ倍変換倍率設定値（６５％、Ｍ＝３）により画像読取処理が実行され、さらにこのＭ倍変換倍率設定値に従って読み取られた画像データに対して１／Ｍ（Ｍ＝３）間引き処理が施され出力される。
【００７１】
上記実施形態による作用効果をまとめると次の通りである。
この発明の画像読取装置は、上記説明したように原稿画像を読み取る読取倍率としての理想的な変換倍率理論値を設定し、この設定された変換倍率理論値をＭ倍して得られるＭ倍変換倍率理論値と、このＭ倍変換倍率理論値を実行可能な値に補正したＭ倍変換倍率設定値とを比較して、このＭ倍変換倍率理論値に対するこのＭ倍変換倍率設定値の設定誤差が所定値以下となるようなＭの値により得られる前記Ｍ倍変換倍率設定値を読取倍率として設定し、この設定されたＭ倍変換倍率設定値に従い、原稿画像を読み取り、この読み取りにより得られた画像データを１／Ｍに縮小して出力するので、所定値以下の設定誤差で変換倍率理論値による画像読取処理が実現される。これにより、理想的な解像度変換が実現できる。
【００７２】
また、この発明では、複写機能及びファクシミリ機能を備えた画像形成装置が標準的に有する主走査副走査間引き部８１、及びＮ％ステップの主走査拡大縮小部７９並びに副走査拡大縮小部１３を組み合わせて使用するので、大幅な回路変更なしで設定誤差を低減することができる。
【００７３】
【発明の効果】
この発明によれば、大幅な回路変更なしで倍率理論値に対する倍率設定値の誤差を低減できる画像読取装置、画像形成装置、及び画像読取方法が提供できる。
【図面の簡単な説明】
【図１】この発明の実施の一形態に係る画像形成装置の内部構造を概略的に示す断面図。
【図２】図１に示す画像形成装置に設けられたコントロールパネルを概略的に示す上面図。
【図３】図１に示す画像形成装置を機能的に示すブロック図。
【図４】ファクシミリ送信処理の全体を説明するフローチャート。
【図５】読取解像度Ｙ実現のためのＭ倍変換倍率設定値算出処理を説明するフローチャート。
【符号の説明】
４…画像読取部
６…画像形成部
３０１…主制御部
３０４…通信制御部
３０５…モデム
３０６…ＮＣＵ
３１０…符号化／復合化部
３１１…画像メモリ
３１２…副走査モータパルス部
３１３…副走査拡大縮小部
３７１…画像処理部
３７２…前処理部
３７４…２値化部
３７５…中間調処理部
３７９…主走査拡大縮小部
３８１…主走査副走査間引き部
【図１】
0003662697.tif 000003
【図２】
0003662697.tif 000004
【図３】
0003662697.tif 000005
【図４】
0003662697.tif 000006
【図５】
0003662697.tif 000007